(57)【要約】      （修正有）【課題】システム間ハンドオーバーの障害を回避することを目的として、無線通信システムにおいてユーザー端末の暗号化アルゴリズムを変更する方法及び装置を提供する。【解決手段】システム間ハンドオーバーの進行中に、ユーザ装置（ＵＥ）での暗号化アルゴリズムの変更を許容する段階を含み、暗号化アルゴリズムの変更を許容するコードを含むプログラムによって実現する。【選択図】図３
2008131653.tif 000002
【特許請求の範囲】
【請求項１】
無線通信システムにおいて暗号化アルゴリズムを変更する暗号化アルゴリズムの変更方法であって、
システム間ハンドオーバーの進行中に、ＵＥ（ユーザー装置）での暗号化アルゴリズムの変更を許容する段階を含むことを特徴とする暗号化アルゴリズムの変更方法。
【請求項２】
前記システム間ハンドオーバーとは、ＧＥＲＡＮ（ＧＳＭ／ＥＤＧＥ無線アクセスネットワーク）からＵＴＲＡＮ（ＵＭＴＳ無線アクセスネットワーク）への交替であることを特徴とする請求項１に記載の暗号化アルゴリズムの変更方法。
【請求項３】
前記システム間ハンドオーバーの進行中にＵＥでの暗号化アルゴリズムの変更を許容する段階は、システム間ハンドオーバー時、ネットワークにより指定された第一暗号化アルゴリズムとＵＥで使用中の暗号化アルゴリズムが別個のものであった場合に、ＵＥの暗号化アルゴリズムを第一暗号化アルゴリズムに変更することを内容とすることを特徴とする請求項１に記載の暗号化アルゴリズムの変更方法。
【請求項４】
無線通信システムにおいて暗号化アルゴリズムを正確に変更する通信装置であって、
通信装置の機能を実現する制御回路と、
制御回路の中に設けられ、プログラムコードを実行して制御回路を制御するＣＰＵ（中央処理装置）と、
制御回路の中にＣＰＵと結合するように設けられ、プログラムコードを記録する記憶装置と
を含み、
該プログラムコードは、
システム間ハンドオーバーの進行中に、ＵＥでの暗号化アルゴリズムの変更を許容するコードを含むことを特徴とする通信装置。
【請求項５】
前記システム間ハンドオーバーとは、ＧＥＲＡＮからＵＴＲＡＮへの交替であることを特徴とする請求項４に記載の通信装置。
【請求項６】
前記システム間ハンドオーバーの進行中にＵＥでの暗号化アルゴリズムの変更を許容するコードは、システム間ハンドオーバー時、ネットワークにより指定された第一暗号化アルゴリズムとＵＥで使用中の暗号化アルゴリズムが別個のものであった場合に、ＵＥの暗号化アルゴリズムを第一暗号化アルゴリズムに変更することを内容とすることを特徴とする請求項４に記載の通信装置。
【発明の詳細な説明】
【技術分野】
【０００１】
本発明は無線通信システムにおいて暗号化方法を変更する方法及び装置に関し、特に無線通信システムのハンドオーバー時に暗号化アルゴリズムを変更する方法及び装置に関する。
【背景技術】
【０００２】
第三世代移動通信技術はＷＣＤＭＡ（広帯域時分割多元接続）方式で高スペクトル利用効率、高カバー率、優れた通話品質と高速伝送を実現するとともに、ＱｏＳ（サービス品質）の確保、柔軟性のある双方向通信の実現、通話中断率の低減に大きく寄与する。ユーザー端末のモビリティーを向上させることを目的として、ＵＭＴＳ（汎用移動通信システム）では、ユーザー装置（ＵＥ）のシステム間（例えば第二世代と第三世代の間）ハンドオーバーを可能にするデュアルモード・マルチモード機能が導入されている。
【０００３】
３ＧＰＰのＲＲＣ（無線資源制御）プロトコル規格では、ＧＥＲＡＮ（ＧＳＭ／ＥＤＧＥ無線アクセスネットワーク）からＵＴＲＡＮ（ＵＭＴＳ無線アクセスネットワーク）へのハンドオーバーが規定されている。同規格によれば、ＵＥはＧＥＲＡＮ  Ｉｕモード（例えばＲＲＣ−Ｃｅｌｌ＿Ｄｅｄｉｃａｔｅｄ状態）からＵＴＲＡＮ  Ｉｕモード（例えばＣＥＬＬ＿ＤＣＨ状態）に入り、ＵＥのＲＲＣエンティティーとＵＴＲＡＮのＲＲＣエンティティーはＲＲＣメッセージを通して測定報告（例えば基地局の無線信号強度）を交換し、ＵＴＲＡＮはこの測定報告をもとにＲＲＭ（無線資源管理）アルゴリズムの演算結果に基づいて、システム間ハンドオーバーを決定する。以下に示すシステム間ハンドオーバーはいずれも、ＧＥＲＡＮからＵＴＲＡＮへの交替を意味する。
【０００４】
ＵＥがＧＥＲＡＮ  Ｉｕモードで動作するとき、ＧＥＲＡＮはダウンリンクＳＲＢ（信号無線ベアラ）２を通して「ＵＴＲＡＮへハンドオーバー指令（ＩＮＴＥＲＳＹＳＴＥＭ  ＨＡＮＤＯＶＥＲ  ＴＯ  ＵＴＲＡＮ  ＣＯＭＭＡＮＤ）」メッセージをＵＥに送信し、システム間ハンドオーバーを起動する。「ＵＴＲＡＮへハンドオーバー指令」メッセージは、完全性保護アルゴリズムと暗号化アルゴリズムを変更するようにＵＥに指示するＵＴＲＡＮのＲＢ再設定（ＲＡＤＩＯ  ＢＥＡＲＥＲ  ＲＥＣＯＮＦＩＧＵＲＡＴＩＯＮ）メッセージを含む。
【０００５】
ＵＥのＳＲＮＳ再配置（ｓｅｒｖｉｎｇ  ｒａｄｉｏ  ｎｅｔｗｏｒｋ  ｓｕｂｓｙｓｔｅｍ  ｒｅｌｏｃａｔｉｏｎ）かシステム間ハンドオーバー時に、ＵＴＲＡＮは所要の完全性保護アルゴリズム（例えばＵＩＡ１／２（ＵＴＲＡＮ完全性アルゴリズム１／２））をＲＢ再設定メッセージの「完全性保護モード」情報要素に添付してＵＥに送信し、所要の完全性保護アルゴリズムに変更するように指示する。
【０００６】
一方、暗号化アルゴリズムの変更を指示するとき、ＵＴＲＡＮは所要の暗号化アルゴリズム（例えばＵＥＡ０／１／２（ＵＭＴＳ暗号化アルゴリズム０／１／２））をＲＢ再設定メッセージの「暗号化モード」情報要素に添付してＵＥに送信する。しかし、この暗号化アルゴリズムの変更は、ＵＥのＳＲＮＳ再配置時にしか実行できない。
【０００７】
従来の技術によれば、ＧＥＲＡＮとＵＴＲＡＮでは別々の暗号化アルゴリズムを用いることがあり、システム間ハンドオーバー時に暗号化アルゴリズムを変更しなければ、ハンドオーバーが失敗し、ＵＥとＵＴＲＡＮの接続が切断されることもありうる。
【発明の開示】
【発明が解決しようとする課題】
【０００８】
本発明はシステム間ハンドオーバーの障害を回避することを目的として、無線通信システムにおいてユーザー端末の暗号化アルゴリズムを変更する方法及び装置を提供することを課題とする。
【課題を解決するための手段】
【０００９】
本発明は、無線通信システムにおいて暗号化アルゴリズムを変更する方法を提供する。該方法は、システム間ハンドオーバーの進行中に、ＵＥ（ユーザー装置）での暗号化アルゴリズムの変更を許容する段階を含む。
【００１０】
本発明は更に、無線通信システムにおいて暗号化アルゴリズムを正確に変更する通信装置を提供する。該装置は、通信装置の機能を実現する制御回路と、制御回路の中に設けられ、プログラムコードを実行して制御回路を制御するＣＰＵ（中央処理装置）と、制御回路の中にＣＰＵと結合するように設けられ、プログラムコードを記録する記憶装置とを含む。該プログラムコードは、システム間ハンドオーバーの進行中に、ＵＥでの暗号化アルゴリズムの変更を許容するコードを含む。
【発明の効果】
【００１１】
本発明は、システム間ハンドオーバー時にＵＥでの暗号化アルゴリズムの変更を許容し、ＧＥＲＡＮからＵＴＲＡＮへのハンドオーバーを確保する効果がある。
【発明を実施するための最良の形態】
【００１２】
かかる方法及び装置の特徴を詳述することを目的として、具体的な実施例を挙げ、図を参照にして以下に説明する。
【００１３】
図１を参照する。図１は無線通信装置１００のブロック図である。説明を簡素化することを目的として、図１では無線通信装置１００の入力装置１０２、出力装置１０４、制御回路１０６、ＣＰＵ（中央処理装置）１０８、記憶装置１１０、プログラムコード１１２及びトランシーバー１１４のみ描かれている。無線通信装置１００では、制御回路１０６はＣＰＵ１０８を用いて記憶装置１１０に記録されたプログラムコード１１２を実行し、無線通信装置１００の動作を制御し、入力装置１０２（例えばキーボード）でユーザーが入力した信号を受信し、出力装置１０４（スクリーン、スピーカーなど）で映像、音声などの信号を出力する。無線信号を受発信するトランシーバー１１４は受信した信号を制御回路１０６に送信し、または制御回路１０６による信号を無線で出力する。言い換えれば、通信プロトコルに当てはめれば、トランシーバー１１４は第一層の一部とみなされ、制御回路１０６は第二層と第三層の機能を実現する。無線通信装置１００は望ましくは第二世代と第三世代移動通信システムに用いられる。
【００１４】
図２を参照する。図２は図１に示すプログラムコード１１２を表す説明図である。プログラムコード１１２は、アプリケーション層２００と、第三層２０２と、第二層２０６とを備え、第一層２１８と接続されている。第三層２０２には、他の無線通信装置とピア・ツー・ピア通信を実行するように第一層２１８及び第二層２０６を制御するＲＲＣエンティティー２２２が設けられている。
【００１５】
無線通信装置１００は例えば、ＵＥとピア・ツー・ピア通信を実行するＧＥＲＡＮかＵＴＲＡＮであり、ＲＲＣメッセージと情報要素（ＩＥ）を形成し、ＲＢを通して構成設定をＵＥに送信し、第二世代と第三世代システム間のハンドオーバーを指示する。
【００１６】
また、無線通信装置１００がＧＥＲＡＮとＵＴＲＡＮからメッセージとＩＥを受信し、システム間ハンドオーバーを実行するＵＥであることもありうる。ＲＲＣエンティティー２２２はネットワークシステムの要求か通信環境の変化に応じて無線通信装置１００のＲＲＣ状態を変更し、ＧＥＲＡＮ  Ｉｕモード（例えばＲＲＣ−Ｃｅｌｌ＿Ｄｅｄｉｃａｔｅｄ状態）からＵＴＲＡＮ  Ｉｕモード（例えばＣＥＬＬ＿ＤＨＣ状態）への交替を円滑にする。
【００１７】
システム間ハンドオーバーの障害を回避することを目的として、本発明は上記プログラムコード１１２に暗号化アルゴリズム変更プログラムコード２２０を設ける。図３を参照する。図３は本発明による方法３０のフローチャートである。下記方法３０は無線通信システムでの暗号化アルゴリズムの変更に用いられ、暗号化アルゴリズム変更プログラムコード２２０としてコンパイルすることができる。
【００１８】
ステップ３００：開始。
ステップ３０２：システム間ハンドオーバーの進行中に、ＵＥでの暗号化アルゴリズムの変更を許容する。
ステップ３０４：終了。
【００１９】
望ましくは、上記方法３０はＧＥＲＡＮからＵＴＲＡＮへのシステム間ハンドオーバーに用いられる。以上のとおり、ＵＥのシステム間ハンドオーバー時、ＵＴＲＡＮは所要の暗号化アルゴリズム（例えばＵＥＡ０／１／２）をＲＢ再設定メッセージの「暗号化モード」情報要素に添付してＵＥに送信する。同ＲＢ再設定メッセージの受信後、ＵＴＲＡＮが指示した暗号化アルゴリズムとＵＥで使用中の暗号化アルゴリズムが別個のものであれば、使用中の暗号化アルゴリズムをＵＴＲＡＮにより指示された所要の暗号化アルゴリズムに変更する。例えば、ハンドオーバー前に使用していた暗号化アルゴリズムがＵＥＡ０で、ハンドオーバー時にＵＴＲＡＮが指示した暗号化アルゴリズムがＵＥＡ２であれば、指示どおりにＵＥの暗号化アルゴリズムをＵＥＡ２に変更し、ハンドオーバー後にＵＥＡ２の使用を確保する。
【００２０】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【産業上の利用可能性】
【００２１】
本発明は従来の動作条件を変更したのみであり、実施可能である。
【図面の簡単な説明】
【００２２】
【図１】本発明による無線通信装置のブロック図である。
【図２】図１に示すプログラムコードを表す説明図である。
【図３】本発明による方法のフローチャートである。
【符号の説明】
【００２３】
１００  無線通信装置
１０２  入力装置
１０４  出力装置
１０６  制御回路
１０８  ＣＰＵ
１１０  記憶装置
１１２  プログラムコード
１１４  トランシーバー
２００  アプリケーション層
２０２  第三層
２０６  第二層
２１８  第一層
２２０  暗号化アルゴリズム変更プログラムコード
【図１】
2008131653.tif 000003
【図２】
2008131653.tif 000004
【図３】
2008131653.tif 000005